(57)【要約】本発明はＶＣＣ（Voice  Call  Continuity）動作を制御する方法及び移動端末に関する。一実施形態によれば、前記方法は、端末がドメイン転換制限情報を含むメッセージをネットワークサーバから受信する段階と、前記端末が前記受信したメッセージに含まれるドメイン転換制限情報を確認する段階と、前記端末が少なくとも前記ドメイン転換制限情報に基づいてドメイン転換を開始するか否かを決定する段階と、前記端末が前記決定結果に基づいてドメイン転換を選択的に開始する段階とを含む。
2009525667.tif 000002
【特許請求の範囲】
【請求項１】
端末がドメイン転換制限情報を含むメッセージをネットワークサーバから受信する段階と、
前記端末が前記受信したメッセージに含まれるドメイン転換制限情報を確認する段階と、
前記端末が少なくとも前記ドメイン転換制限情報に基づいてドメイン転換を開始するか否かを決定する段階と、
前記端末が前記決定結果に基づいてドメイン転換を選択的に開始する段階と
を含むことを特徴とするＶＣＣ動作を制御する方法。
【請求項２】
前記端末が前記受信したメッセージに対する応答として応答メッセージを前記ネットワークサーバに送信する段階をさらに含むことを特徴とする請求項１に記載のＶＣＣ動作を制御する方法。
【請求項３】
前記受信段階において、
前記ドメイン転換制限情報を含むメッセージがＶ３インタフェースを介して受信されることを特徴とする請求項１に記載のＶＣＣ動作を制御する方法。
【請求項４】
前記選択的開始段階において、
前記決定段階で前記ドメイン転換制限情報がドメイン転換を制限しないと決定されると、呼のドメイン転換を開始し、前記決定段階で前記ドメイン転換制限情報がドメイン転換を制限すると決定されると、前記呼のドメイン転換を開始しないことを特徴とする請求項１に記載のＶＣＣ動作を制御する方法。
【請求項５】
前記呼が進行中の呼であることを特徴とする請求項４に記載のＶＣＣ動作を制御する方法。
【請求項６】
前記受信段階は、前記呼が設定される前に行われることを特徴とする請求項４に記載のＶＣＣ動作を制御する方法。
【請求項７】
前記受信段階は、前記呼が設定された後に行われることを特徴とする請求項４に記載のＶＣＣ動作を制御する方法。
【請求項８】
前記受信したメッセージがオペレータポリシー情報を含むメッセージであり、前記ドメイン転換制限情報が前記オペレータポリシー情報に含まれることを特徴とする請求項１に記載のＶＣＣ動作を制御する方法。
【請求項９】
前記受信したメッセージが前記ドメイン転換制限情報のみを含むことを特徴とする請求項１に記載のＶＣＣ動作を制御する方法。
【請求項１０】
前記ドメイン転換制限情報が、指示情報及び／又はネットワークポリシー情報を含むことを特徴とする請求項１に記載のＶＣＣ動作を制御する方法。
【請求項１１】
前記指示情報は、
適用可能範囲情報、
制限レベル情報、及び
適用可能方向情報
の少なくとも１つを含むことを特徴とする請求項１０に記載のＶＣＣ動作を制御する方法。
【請求項１２】
前記適用可能範囲情報は、
特定セッション又は呼のドメイン転換の制限、
進行中のセッション又は呼のドメイン転換の制限、
ＩＭＳドメイン及び／又はＣＳドメインから再登録が行われるまでのドメイン転換の制限、
前記端末がターンオフするまでのドメイン転換の制限、
時間情報に基づくドメイン転換の制限、並びに
予め定義された禁止が取消又は解除されるまでのドメイン転換の制限
の少なくとも１つを示す情報を含むことを特徴とする請求項１１に記載のＶＣＣ動作を制御する方法。
【請求項１３】
前記制限レベル情報は、
該当制限を適用しなければならないことを示す第１レベル、
該当制限を適用することが好ましいことを示す第２レベル、及び
該当制限を取り消すことを示す第３レベル
のいずれか１つを少なくとも１つの制限のそれぞれが有することを示す情報を含むことを特徴とする請求項１１に記載のＶＣＣ動作を制御する方法。
【請求項１４】
前記適用可能方向情報は、
該当呼のドメイン転換が、
（ａ）ＩＭＳドメインからＣＳドメインにもしくはＣＳドメインからＩＭＳドメインに適用不可、
（ｂ）ＩＭＳドメインに適用不可、又は
（ｃ）ＣＳドメインに適用不可
であることを示す情報を含むことを特徴とする請求項１１に記載のＶＣＣ動作を制御する方法。
【請求項１５】
前記ネットワークポリシー情報は、
多者間呼又はマルチセッション呼が行われる場合にドメイン転換を開始しないことを示す情報、
セルＩＤが特定ＩＤである場合にドメイン転換を開始しないことを示す情報、
特定ネットワーク機能がオフ状態である場合にドメイン転換を開始しないことを示す情報、
特定付加サービスである場合にドメイン転換を開始しないことを示す情報、及び
非常呼び出しである場合にドメイン転換を開始しないことを示す情報
の少なくとも１つを含むことを特徴とする請求項１０に記載のＶＣＣ動作を制御する方法。
【請求項１６】
前記ネットワークサーバがＶＣＣアプリケーションサーバであることを特徴とする請求項１に記載のＶＣＣ動作を制御する方法。
【請求項１７】
前記決定段階は、
前記ドメイン転換制限情報及びユーザ嗜好情報に基づいて、ドメイン転換を開始するか否かを決定することを特徴とする請求項１に記載のＶＣＣ動作を制御する方法。
【請求項１８】
前記ドメイン転換制限情報を前記端末に保存する段階をさらに含むことを特徴とする請求項１に記載のＶＣＣ動作を制御する方法。
【請求項１９】
ドメイン転換制限情報を含むメッセージをネットワークサーバから受信する受信部と、
前記受信したメッセージに含まれるドメイン転換制限情報を確認し、少なくとも前記ドメイン転換制限情報に基づいてドメイン転換を開始するか否かを決定し、その決定結果に基づいてドメイン転換を選択的に開始する制御部と
を含むことを特徴とするＶＣＣ動作を制御する端末。
【請求項２０】
前記制御部は、前記ドメイン転換制限情報及びユーザ嗜好情報に基づいて、ドメイン転換を開始するか否かを決定することを特徴とする請求項１９に記載のＶＣＣ動作を制御する端末。
【請求項２１】
前記ドメイン転換制限情報を保存する保存ユニットをさらに含むことを特徴とする請求項１９に記載のＶＣＣ動作を制御する端末。
【請求項２２】
前記受信したメッセージに対する応答として応答メッセージを前記ネットワークサーバに送信する送信部をさらに含むことを特徴とする請求項１９に記載のＶＣＣ動作を制御する端末。
【請求項２３】
前記受信部は、前記ドメイン転換制限情報を含むメッセージをＶ３インタフェースを介して受信することを特徴とする請求項１９に記載のＶＣＣ動作を制御する端末。
【請求項２４】
前記制御部は、前記ドメイン転換制限情報がドメイン転換を制限しないと判断されると、呼のドメイン転換を開始し、前記ドメイン転換制限情報がドメイン転換を制限すると判断されると、前記呼のドメイン転換を開始しないことを特徴とする請求項１９に記載のＶＣＣ動作を制御する端末。
【請求項２５】
前記呼が進行中の呼であることを特徴とする請求項２４に記載のＶＣＣ動作を制御する端末。
【請求項２６】
前記受信部は、前記呼が設定される前に前記メッセージを受信することを特徴とする請求項２４に記載のＶＣＣ動作を制御する端末。
【請求項２７】
前記受信部は、前記呼が設定された後に前記メッセージを受信することを特徴とする請求項２４に記載のＶＣＣ動作を制御する端末。
【請求項２８】
前記受信したメッセージがオペレータポリシー情報を含むメッセージであり、前記ドメイン転換制限情報が前記オペレータポリシー情報に含まれることを特徴とする請求項１９に記載のＶＣＣ動作を制御する端末。
【請求項２９】
前記受信したメッセージが前記ドメイン転換制限情報のみを含むことを特徴とする請求項１９に記載のＶＣＣ動作を制御する端末。
【請求項３０】
前記ドメイン転換制限情報が、指示情報及び／又はネットワークポリシー情報を含むことを特徴とする請求項１９に記載のＶＣＣ動作を制御する端末。
【発明の詳細な説明】
【技術分野】
【０００１】
本出願は、２００６年２月６日付けで出願された米国仮出願番号６０／７６５，２１１号、並びに２００６年１１月１７日及び２００６年１２月２８日付けでそれぞれ大韓民国に出願された韓国特許出願番号１０−２００６−０１１４１３６号及び１０−２００６−０１３７１２７号の優先権を主張する。これら出願の全内容は参考として本出願に全て援用される。
【０００２】
本発明はＶＣＣ（Voice  Call  Continuity）に関し、特にＶＣＣにおけるドメイン転換（domain  transfer）の制限に関する。
【発明の開示】
【課題を解決するための手段】
【０００３】
一般的に、ＶＣＣとは、アプリケーションの一種、すなわちＣＳ（Circuit  Switching）ドメインとＩＭＳ（IP  Multimedia  Subsystem）ドメイン間で音声呼を転送できるホームＩＭＳアプリケーションをいう。ＶＣＣは、音声呼発信（voice  call  origination）、音声呼着信（voice  call  termination）、ドメイン選択、及びＣＳドメインからＩＭＳドメインへのドメイン転換又はその逆方向のドメイン転換の機能を提供する。ここで、ドメイン転換とは、アクティブセッションでユーザ装置（User  Equipment;  UE）（すなわち、端末）への音声呼に対するアクセスレッグ（access  leg）をＣＳドメインからＩＭＳドメインに又はその逆方向に転換することをいう。前記アクセスレッグとは、ＶＣＣ  ＵＥとＶＣＣアプリケーション（サーバ）のＤＴＦ（Domain  Transfer  Function）間の呼制御レッグ（call  control  leg）をいう。
【０００４】
前記ドメイン転換手順により、ＶＣＣ  ＵＥが少なくとも１つの音声呼／セッションを行う間、ＩＭＳドメインとＣＳドメイン間で前記少なくとも１つの音声呼／セッションのための連続性（continuity）が提供される。
一般的に、特定音声呼／セッションのＣＳドメインからＩＭＳドメインへのドメイン転換、又はその逆方向のドメイン転換は、ＤＴＦがその音声呼／セッション設定の信号経路上に位置する場合にのみ開始される。このために前記ＤＴＦを前記音声呼／セッション設定の信号経路上に位置させることを、ＩＭＳアンカリング（anchoring  in  IMS）又はアンカリングという。
【０００５】
図１はＶＣＣサービスを提供するネットワークの一般的な構造を示す図である。
【０００６】
図１に示すように、ＶＣＣ  ＵＥ１０とは、ＶＣＣサービスをサポートする全てのタイプの端末をいう。前記ＶＣＣ  ＵＥは、ＣＳ及びＰＳ（Packet  Switching）ドメインにアクセスできる。すなわち、前記ＶＣＣ  ＵＥは、ＣＳドメインにアクセスする場合は、その内部に備えられているＵＥ−ＣＳ（図示せず）を使用し、ＰＳドメインにアクセスする場合は、その内部に備えられているＵＥ−ＩＭＳ（図示せず）を使用する。
【０００７】
ＶＣＣアプリケーション３０は、ＶＣＣサービスを提供するアプリケーションサーバであり、一連の機能を実行するエンティティから構成される。前記一連の機能は、ＶＣＣ  ＵＥに音声呼を設定するために要求される機能と、アクティブセッションを維持してＣＳドメインとＩＭＳドメイン間でＶＣＣ  ＵＥのアクセスレッグをスイッチングするために要求される機能とを含む。例えば、前記一連の機能は、ドメイン転換機能３０ａ、ドメイン選択機能３０ｄ、ＣＳ適応機能（CS  Adaptation  Function）３０ｂ、ＣＡＭＥＬサービスアプリケーション３０ｃである。前記一連の機能の詳細な能力及び動作は、３ＧＰＰ  ＴＳ  ２３．２０６  Ｖ１．２．０に記述されている。
【０００８】
一般的に、ＣＳドメインエンティティは、ＶＭＳＣ（Visited  Mobile  Switching  Center）、ＧＭＳＣ（Gateway  MSC）、ｇｓｍＳＣＦなどを含む。ＩＭＳドメインエンティティは、Ｐ−ＣＳＣＦ、Ｓ−ＣＳＣＦ、Ｉ−ＣＳＣＦ、及びＭＧＣＦ（Media  Gateway  Control  Function）を含む。
【０００９】
図２は、ＩＭＳドメインとＣＳドメイン間でドメイン転換が発生した場合におけるネットワーク（例えば、図１に示すネットワーク）の各構成要素間の信号フローを示す図である。以下、従来のＶＣＣサービスにおけるドメイン転換手順を図２を参照して説明する。
【００１０】
図２に示すように、ＶＣＣでドメイン転換を開始するのはＶＣＣ  ＵＥである。すなわち、前記ＶＣＣ  ＵＥは、ネットワークとＣＳドメイン又はＩＭＳドメインに音声呼（又は、セッション）を設定した後、１つのドメインから他のドメインに移動（転換）することによりドメイン転換を開始するか否かを決定できる。このようにすることにより、前記設定された音声呼（いわゆる「進行中の呼（ongoing  call）」）が、ＣＳドメインからＩＭＳドメインへのハンドオーバ（すなわち、ドメイン転換）又はその逆方向のハンドオーバ中も継続する。ここで、前記音声呼の１つのドメイン（例えば、ＩＭＳドメイン）から他のドメイン（例えば、ＣＳドメイン）へのドメイン転換を開始（実行）する場合、前記ＶＣＣ  ＵＥは、予め保存されている情報に基づいてドメイン転換を開始する。ここで、前記ＶＣＣ  ＵＥに予め保存されている情報は、アクセスするＣＳネットワークの無線状態、オペレータポリシー、及びユーザの嗜好などを含む。
【００１１】
従来のＶＣＣ  ＵＥがＣＳドメインからＩＭＳドメインへのドメイン転換を開始する手順（１）〜（４）は次の通りである。
【００１２】
（１）ＶＣＣ  ＵＥは、発信されてＣＳドメイン上で進行中の音声呼、すなわち発信呼に対してドメイン転換を開始することを決定する。
【００１３】
（２）前記ＶＣＣ  ＵＥがＶＣＣアプリケーションにＩＮＶＩＴＥメッセージを送信すると、前記ＶＣＣアプリケーションのＤＴＦは、前記音声呼に対するＩＭＳセッションレッグ（session  leg）をＩＭＳドメインに設定する。
【００１４】
（３）前記ＩＭＳセッションレッグが前記ＤＴＦと前記ＩＭＳドメイン間に設定された後、前記ＤＴＦは、前記進行中のセッションを前記ＩＭＳドメインにルーティングする。
【００１５】
（４）前記進行中のセッションを前記ＩＭＳドメインにルーティングした後、ＣＳセッションレッグは解除される。
【００１６】
このように、前記手順（１）〜（４）により、音声呼のＣＳドメインからＩＭＳドメインへのドメイン転換が開始される。
【００１７】
ＶＣＣにおけるドメイン転換について前述したように、ＶＣＣにおけるドメイン転換はＶＣＣ  ＵＥにより開始される。しかし、前記ＶＣＣ  ＵＥにより開始されるドメイン転換を実質的に担当するのはネットワークである。また、前記ネットワークは、特定状態に応じて、前記ＶＣＣ  ＵＥが要求したドメイン転換を行うことなく、ドメイン転換を制限することができる。例えば、ネットワーク側でのドメイン転換がオペレータポリシーに基づいて一般的に又は一時的に制限されることがある。ドメイン転換の制限は、前記ネットワークにより行われる様々な動作を含むが、例えば前記ＶＣＣ  ＵＥが開始したドメイン転換の要求を無視する動作、前記ＶＣＣ  ＵＥが要求したドメイン転換を遅延させる動作などがある。
【００１８】
しかし、従来のＶＣＣ（例えば、ＶＣＣアプリケーション）のネットワークは、一時的に又は一般的に変更されるオペレータポリシーをＶＣＣ  ＵＥに通知する機能を有しない。前記オペレータポリシー（又は、その変更）により前記ネットワークがドメイン転換を制限する状態にあっても（そのためにドメイン転換を行えなくなっても）、従来は前記ネットワークがその制限を前記ＶＣＣ  ＵＥに通知しないため、前記ＶＣＣ  ＵＥは前記ネットワークがドメイン転換を制限した状態であることを認識しておらず、認識することもできない。従って、前記ＶＣＣ  ＵＥは、前記ネットワークでドメイン転換が制限されることが分からないので、進行中の呼のドメイン転換を継続して試みるか又は開始する。その結果、シグナリング、無線リソース、ＵＥのバッテリ寿命、ＶＣＣ  ＵＥのＣＰＵパワーなどを浪費するという限界及び問題を引き起こす。
【００１９】
そこで、本発明の目的は、例えばネットワーク（例えば、ＶＣＣアプリケーション）のオペレータポリシーの変更によりドメイン転換の制限が発生した場合、前記ネットワークがドメイン転換の制限に関する情報をＶＣＣ  ＵＥに伝送する技術を提供することにある。
【００２０】
本発明の他の目的は、ネットワークから伝送されたドメイン転換の制限に関する情報を分析し、その分析したドメイン転換制限情報を考慮して現在進行中の呼のドメイン転換を開始するか否かを決定するＵＥ（すなわち、端末）を提供することにある。
【００２１】
本発明のさらに他の目的は、従来技術の限界及び問題を解決するために、ドメイン転換制限情報を通信することによりＶＣＣ動作を制御する端末、サーバ、システム、及び方法を提供することにある。
【００２２】
本発明の上記及びその他の目的を達成するために、本発明の一態様によれば、端末がドメイン転換制限情報をネットワークサーバから受信する段階と、前記端末が前記ドメイン転換制限情報を分析する段階と、前記端末が前記分析したドメイン転換制限情報を考慮して呼のドメイン転換を開始するか否かを決定する段階とを含む、ドメイン転換制限方法を提供する。
【００２３】
本発明の上記及びその他の目的を達成するために、本発明の他の態様によれば、ドメイン転換制限情報を受信する受信部と、前記受信したドメイン転換制限情報に対する応答（Ａｃｋ）メッセージを送信する送信部と、前記ドメイン転換制限情報を分析し、前記分析したドメイン転換制限情報を考慮して呼のドメイン転換を決定するＶＣＣイネイブラーとを含む、端末を提供する。
【００２４】
本発明の上記及びその他の目的を達成するために、本発明のさらに他の態様によれば、ドメイン転換制限情報を含むドメイン転換制限メッセージを生成して前記ドメイン転換制限情報と共に端末に提供させるメッセージ生成部と、前記生成したドメイン転換制限メッセージを前記端末に送信する送信部と、前記ドメイン転換制限メッセージに対する応答メッセージを前記端末から受信する受信部とを含む、ネットワークサーバを提供する。
【００２５】
さらに他の態様によれば、本発明は、端末がドメイン転換制限情報を含むメッセージをネットワークサーバから受信する段階と、前記端末が前記受信したメッセージに含まれるドメイン転換制限情報を確認する段階と、前記端末が少なくとも前記ドメイン転換制限情報に基づいてドメイン転換を開始するか否かを決定する段階と、前記端末が前記決定結果に基づいてドメイン転換を選択的に開始する段階とを含む、ＶＣＣ動作を制御する方法を提供する。
【００２６】
さらに他の態様によれば、本発明は、ドメイン転換制限情報を含むメッセージをネットワークサーバから受信する受信部と、前記受信したメッセージに含まれるドメイン転換制限情報を確認し、少なくとも前記ドメイン転換制限情報に基づいてドメイン転換を開始するか否かを決定し、その決定結果に基づいてドメイン転換を選択的に開始する制御部とを含む、ＶＣＣ動作を制御する端末を提供する。
【００２７】
本発明の上記及びその他の目的は後述する発明の詳細な説明により明らかになるであろう。しかし、詳細な説明及び特定例は、本発明の好ましい実施形態であるものの、単なる例示のために与えられたものであることを理解すべきであり、当業者であれば本発明の思想や範囲内で様々な変更及び変形が可能であることを理解できるであろう。
【００２８】
本発明は、後述する発明の詳細な説明及び単なる例示のために与えられた添付図面からより十分に理解できるであろうが、これにより限定されるものではない。
【００２９】
図１は、本発明を実現できるＶＣＣサービスを提供するネットワークの構造を示す図である。
【００３０】
図２は、従来のＩＭＳドメインとＣＳドメイン間でのドメイン転換が行われる場合におけるネットワークの特定構成要素間の信号フローを示す図である。
【００３１】
図３は、本発明の一実施形態によるＵＥとＶＣＣアプリケーション間のドメイン転換を制限するためのドメイン転換制限情報の伝送方法を示す信号フロー図である。
【００３２】
図４は、本発明の一実施形態による端末又はＵＥのブロック図である。
【００３３】
本発明は、３ＧＰＰのＶＣＣ分野に適用されるが、他の通信分野にも適用できる。
【００３４】
基本的に本発明においては、第１に、例えばオペレータポリシーの変更によりネットワーク（例えば、ＶＣＣアプリケーション）でドメイン転換が制限される場合、前記ネットワークは、ドメイン転換制限に関する情報をＵＥ（すなわち、端末）に通知する。第２に、前記ＵＥは、前記ドメイン転換制限に関する情報を保存し、第３に、前記ＵＥは、進行中の呼（すなわち、発信呼）のドメイン転換を試みる際、前記ドメイン転換制限に関する情報を分析又は考慮して、前記進行中の呼（すなわち、発信呼）のドメイン転換を開始するか否かを決定する。
【発明を実施するための最良の形態】
【００３５】
以下、本発明で好ましく用いられる用語を定義する。
【００３６】
本発明によるＵＥは、ＶＣＣサービスに利用できる全てのタイプの端末を含む。例えば、本発明によるＵＥは、移動通信端末（例えば、ＵＥ、携帯電話、セルラーフォン、ＤＭＢフォン、ＤＶＢ−Ｈフォン、ＰＤＡ、ＰＴＴなど）、デジタルテレビセット、ＧＰＳナビゲーションデバイス、携帯用ゲーム機、ＭＰ３、その他の家電製品などを包括的に含む。
【００３７】
ユーザの嗜好とは、ＵＥ（又は、端末）がＣＳドメインとＩＭＳドメインの両方を利用できる場合、前記ＵＥのユーザが着信呼（incoming  call）又は発信呼（outgoing  call）に対してどのドメインの利用を好むかを示すドメイン選択情報を定義するための情報又はパラメータをいう。
【００３８】
オペレータポリシーとは、ネットワーク状態又はネットワーク管理に関する情報をいう。前記オペレータポリシーは、ネットワーク状態によって、又はネットワーク管理のために、随時アップデートすることができる。前記アップデートされたオペレータポリシーは、進行中の呼のドメイン転換を制限する情報を含むことができる。
【００３９】
進行中の呼とは、ＵＥとＶＣＣアプリケーション間で進行中の呼をいい、受信呼又は発信呼の全てを含む。
【００４０】
本発明で利用される「Ｖ３インタフェース」とは、ＵＥとＶＣＣアプリケーション間での相互情報伝達のためのインタフェースをいう。例えば、前記Ｖ３インタフェースは、その一例として図１では２０と示されている。前記Ｖ３インタフェースは、ＵｔインタフェースとＯＭＡ  ＤＭ（Device  Management）とを含む。すなわち、前記ＵＥから前記ＶＣＣアプリケーションへの情報伝達は、前記Ｕｔインタフェースを利用して行えるのに対し、前記ＶＣＣアプリケーションから前記ＵＥへの情報伝達は、ＤＭ方式を用いるＤＭを利用して行える。他の例として、前記Ｖ３インタフェース方式は、ＵＳＳＤ（Unstructured  Supplementary  Service  Data）方式を含む。前記Ｕｔインタフェース、ＤＭ方式、及びＵＳＳＤ方式は公知の技術である。前記Ｖ３インタフェースのプロトコルは、代表的にＸＭＬ形式を有するＨＴＴＰでもよい。
【００４１】
以下、添付図面を参照して本発明の好ましい実施形態の構成及び動作を詳細に説明する。
【００４２】
図３は本発明の一実施形態によるＵＥ１００とＶＣＣアプリケーション３００間のドメイン転換を制限するためのドメイン転換制限情報の伝送方法を示す信号フロー図である。この方法は、図１のネットワーク構造又はその他の適当な構造で実現できる。例えば、図３に示すＵＥ１００及びＶＣＣアプリケーション３００は、それぞれ図１に示すＵＥ  １０及びＶＣＣアプリケーション３０でもよい。
【００４３】
図３を参照すると、ＣＳドメイン又はＩＭＳドメインで、ＵＥ１００とＶＣＣアプリケーション３００間に呼が設定され、その呼が進行中である（Ｓ１）。前記呼は、ＵＥ１００から発信された発信呼でもよく、ネットワークからＵＥ１００に向かう着信呼でもよい。ＵＥ１００とＶＣＣアプリケーション３００間で進行中の呼の場合、ネットワーク状態の変更又はネットワーク管理によって生じる問題によりドメイン転換に関連するオペレータポリシーの変更もしくは加入者情報の変更が発生するか、又はネットワークが進行中の呼のドメイン転換を制限するその他の理由や原因があると、ＶＣＣアプリケーション３００は、ドメイン転換の制限に関する情報（以下、「ドメイン転換制限情報」という）をＵＥ１００に送信する（Ｓ２）。
【００４４】
一例によれば、段階Ｓ２でのドメイン転換制限情報は、例えばＶ３インタフェース（例えば、図１の２０）を介してＶＣＣアプリケーション３００からＵＥ１００に送信されるオペレータポリシーに含まれてもよい。すなわち、ＶＣＣアプリケーション３００からＵＥ１００に送信されるオペレータポリシーは、前記ドメイン転換制限情報及びその他の情報、例えば選択されるドメインを示すドメイン選択情報、ドメイン転換を要求するドメイン転換要求情報などを含むことができる。他の例によれば、段階Ｓ２でのドメイン転換制限情報は、例えばＶ３インタフェースを介してＶＣＣアプリケーション３００からＵＥ１００に単独で送信することができる。その後、ＵＥ１００は、前記受信したドメイン転換制限情報をＵＥ１００に保存されているオペレータポリシーの一部として保存することができる。この例によれば、段階Ｓ２において、メッセージ／信号がＶＣＣアプリケーション３００からＵＥ１００に送信されることが分かり、このようなメッセージは、（ａ）前記ドメイン転換制限情報を含むオペレータポリシーを伝達するメッセージでもよく、（ｂ）（オペレータポリシーを伝達することなく）前記ドメイン転換制限情報のみを伝達するメッセージでもよい。その後、ＵＥ１００は、ＶＣＣアプリケーション３００から前記ドメイン転換制限情報（メッセージ）を受信し、前記受信した情報に対する応答として応答メッセージ（例えば、Ａｃｋメッセージ）をＶＣＣアプリケーション３００に送信する（Ｓ３）。ＵＥ１００は、前記受信したドメイン転換制限情報をＵＥ１００の内部に備えられた特定メモリに保存する（Ｓ４）。例えば、前記ドメイン転換制限情報は、ＵＥ１００内の保存ユニットに保存されてもよく、ＵＥではなく、ＳＩＭカードなどの独立した媒体もしくは別個の媒体（又は、手段）に保存されてもよい。ＵＥ１００は、ＶＣＣアプリケーション３００から前記ドメイン転換制限情報を含むオペレータポリシーを受信すると、段階Ｓ４で前記受信したドメイン転換制限情報を含むオペレータポリシーを保存する（又は、予め保存されているオペレータポリシーを前記受信した情報にアップデートする）。これに対し、ＶＣＣアプリケーション３００から前記ドメイン転換制限情報のみを受信すると、ＵＥ１００は、段階Ｓ４で前記受信したドメイン転換制限情報を保存する（又は、予め保存されているドメイン転換制限情報を前記受信した情報にアップデートする）。
【００４５】
本発明によれば、段階Ｓ３は段階Ｓ４の前又は後に行うことができる。なお、段階Ｓ３は選択的な段階であり、省略することができる。また、進行中の呼は段階Ｓ２の後に設定することもできる。すなわち、前記ドメイン転換制限情報は、前記呼の設定前又は進行中にＶＣＣアプリケーション３００からＵＥ１００に送信することができる。
【００４６】
前記ドメイン転換制限情報は、ドメイン転換の制限に関する詳細情報、例えばドメイン転換を制限する持続時間、制限レベル、ドメイン転換制限方向などを含むことができる。以下、本発明によるドメイン転換制限情報の具体的な内容及び関連情報について詳細に説明する。
【００４７】
好ましい実施形態によれば、ＵＥは、進行中の呼（例えば、ＣＳ又はＩＭＳへの発信呼）のドメイン転換を開始する前に、前記ドメイン転換制限情報を考慮すべきである。例えば、ＵＥ１００は、前記ドメイン転換制限情報を分析し、前記分析したドメイン転換制限情報を考慮して前記進行中の呼のドメイン転換を開始できるか否かを決定する（Ｓ５、Ｓ６）。一例として、前記ドメイン転換制限情報が持続時間（例えば、ドメイン転換が１４時から１６時までに制限される）及びドメイン転換制限方向（例えば、ＣＳドメインへのドメイン転換が制限される）を示すと仮定する。また、前記ＵＥの進行中の呼がＩＭＳドメイン上で進行中であると仮定する。このような仮定の下で、前記ＵＥの進行中の呼のドメイン転換は、設定された前記持続時間の１４時から１６時までに制限され、かつＩＭＳドメインからＣＳドメインへのドメイン転換も制限される。従って、前記ＵＥはこのようなドメイン転換制限情報を考慮して前記進行中の呼のドメイン転換を開始するか否かを決定する。前記ＵＥは、前記ドメイン転換制限情報がドメイン転換を許可すると、前記ＵＥの進行中の呼のドメイン転換を開始することができ、前記ドメイン転換制限情報がドメイン転換を許可しないと（制限すると）、前記ＵＥの進行中の呼のドメイン転換を開始しないことを決定することができる。
【００４８】
以下、（例えば、段階Ｓ２において）前記ネットワーク（例えば、ＶＣＣアプリケーション）から前記ＵＥに送信されたドメイン転換制限情報を含むメッセージについて説明する。一実施形態によれば、前記ドメイン転換制限情報は、前記ＶＣＣアプリケーションから前記ＵＥにメッセージとして送信できる。このようなドメイン転換制限情報を含むメッセージは、例えばＯＭＡ（Open  Mobile  Alliance）  ＣＰ／ＤＭ又はその他のプロトコルを使用して送信できる。このようなメッセージは、前記ドメイン転換制限情報のアップグレードに使用できる。
【００４９】
一実施形態によれば、前記メッセージに含まれるドメイン転換制限情報は関連情報を含むが、前記関連情報は、１）指示情報、及び／又は２）ネットワークポリシー情報を含む。以下、本発明の一実施形態による指示情報及びネットワークポリシー情報についてより詳細に説明する。
【００５０】
前記指示情報は、ドメイン転換の制限に関するもので、ドメイン転換の制限に関する関連情報を含む。前記指示情報は、（１）適用可能範囲情報（range  of  applicability  information）、及び／又は（２）制限レベル情報、及び／又は（３）適用可能方向情報（direction  of  applicability  information）を含む。
【００５１】
（１）適用可能範囲情報：この情報はネットワーク（例えば、ＶＣＣアプリケーション）で呼のドメイン転換を制限する範囲を指定する。前記適用可能範囲情報は次のような少なくとも１つのドメイン転換制限を示すことができる。
【００５２】
・特定セッション／呼のドメイン転換の制限（例えば、ネットワークが特定呼のドメイン転換をサポートしないため、ドメイン転換が制限される（許可されない））、
・進行中のセッション／呼のドメイン転換の制限（例えば、ネットワークが進行中の呼のドメイン転換をサポートしないため、ドメイン転換が制限される）、
・ＩＭＳドメイン及び／又はＣＳドメインから再登録が行われるまでのドメイン転換の制限、
・ＵＥの電源が切られるまでのドメイン転換の制限（例えば、ＵＥの電源がターンオフするまでドメイン転換が制限される）、
・時間周期に基づくドメイン転換の制限（例えば、特定時間周期でドメイン転換が制限される）、及び／又は
・予め定義された禁止が取消又は解除されるまでのドメイン転換の制限（例えば、ネットワークが特定エリアではいずれの呼も許可されないように禁止を設定している場合で、かつユーザがそのエリアに移動するか又はそのエリアにいる場合、前記禁止が依然として適用されて呼のドメイン転換が制限される）。
【００５３】
（２）制限レベル情報：これはドメイン転換制限の制限レベルを指定する一種のガイドライン情報であり、その例は次の通りである。
【００５４】
・第１レベル（いわゆる「Ｓｈａｌｌ  ｎｏｔ」（ｍｕｓｔ  ｎｏｔ））は、ネットワーク（すなわち、ＶＣＣアプリケーション）がＵＥにドメイン転換を開始（実行）しないように通知するために使用される（例えば、ここではドメイン転換を開始しようとするＵＥの試みが拒否される）、
・第２レベル（いわゆる「Ｓｈｏｕｌｄ  ｎｏｔ」（ｐｒｅｆｅｒａｂｌｙ  ｎｏｔ））は、進行中の呼を特定ドメインに維持させようとする意図がある場合に使用される（例えば、このレベルは、ＵＥがドメイン転換の開始を試みる場合に使用できることもある。ここで、前記ＵＥは、ドメイン転換制限情報とドメイン転換に関する情報を示すことのできるユーザ嗜好情報の両方を考慮できる。そこで、これら情報に基づいて、前記ＵＥはドメイン転換を開始するか否かを決定できる。あるいは、前記ＵＥは前記ドメイン転換制限情報のみを考慮してドメイン転換を開始するか否かを決定できる。）、又は
・第３レベル（いわゆる「ｉｓ  ａｌｌｏｗｅｄ」）は、以前のドメイン転換の制限を取り消すために使用される（例えば、前記制限レベルを通知した後にドメイン転換を開始できることを示す。ここで、前記ＵＥは、ドメイン転換制限情報とドメイン転換に関する情報を示すことのできるユーザ嗜好情報の両方を考慮できる。そこで、これら情報に基づいて、前記ＵＥはドメイン転換を開始するか否かを決定できる。あるいは、前記ＵＥは前記ドメイン転換制限情報のみを考慮できる。）。
【００５５】
このようなレベル（例えば、第１〜第３レベル）は、ドメイン転換制限のレベルを示す１つのパラメータの様々な値を用いて、異なるレベルに該当する様々なパラメータを用いて、又はその他の方式を用いて示すことができる。前記適用可能範囲情報により示すことのできる、上記に挙げた制限のそれぞれは、前述した第１、第２、又は第３レベルを有する。
【００５６】
（３）適用可能方向情報：これは特定方向にのみドメイン転換を開始できることを示すための情報である。前記適用可能方向情報は次の１つを示すことができる。
【００５７】
・双方向適用不可（例えば、ＩＭＳからＣＳに及びＣＳからＩＭＳに）、
・ＩＭＳドメインに適用不可、又は
・ＣＳドメインに適用不可。
【００５８】
例えば、前記適用可能方向情報が「ＩＭＳドメインに適用不可」を示す場合、進行中の呼のドメイン転換はＩＭＳドメインに適用不可能である（適用できないか、又は許可されない）。
【００５９】
前記ネットワークポリシー情報は、オペレータポリシーに基づいてドメイン転換の制限に関する条件を示すための情報である。すなわち、前記ネットワークポリシー情報は、特定条件又は特定状況に該当する呼がＵＥから発生した場合にネットワークがドメイン転換の制限を示す指示情報である。前記ネットワークポリシー情報の例は次の通りである。
【００６０】
・多者間呼（multiparty  call）又はマルチセッション呼が行われる場合にドメイン転換を開始しないことを示す情報、
・セルＩＤが特定ＩＤである場合にドメイン転換を開始しないことを示す情報、
・ＷＬＡＮ（Wireless  Local  Area  Network）側の機能がオフ状態である場合にドメイン転換を開始しないことを示す情報、
・特定付加サービス（例えば、呼保留（call  hold）、呼待機（call  waiting）など）である場合にドメイン転換を開始しないことを示す情報、及び／又は
・非常呼び出し（emergency  call）である場合にドメイン転換を開始しないことを示す情報。
【００６１】
以上のように、前記ドメイン転換制限情報（例えば、指示情報及び／又はネットワークポリシー情報）は、メッセージに、例えばパラメータ（又は、エレメント）の形態で含まれ、ＶＣＣアプリケーションからＵＥに送信される。前記ＶＣＣアプリケーションは、１つ以上の関連情報を組み合わせて前記ドメイン転換制限情報を生成し、前記ＵＥに送信することができる。例えば、前記ＵＥのＩＭＳドメインへのドメイン転換を常に制限しようとする場合、前記ＶＣＣアプリケーションは、該当指示情報を前記メッセージに含めて前記ＵＥに送信する。他の例では、前記ＵＥが進行中の呼のドメイン転換をサポートせず（すなわち、一種の指示情報）、多者間呼が行われてもドメイン転換を開始しない（又は、開始してはならない）場合（すなわち、一種のネットワークポリシー情報）、前記ＶＣＣアプリケーションは該当指示情報及びネットワークポリシー情報を前記メッセージに含めて前記ＵＥに送信する。
【００６２】
以下、本発明の一実施形態によるＵＥ１００及びＶＣＣアプリケーション３００の構成及び動作を説明する。
【００６３】
本発明によるＵＥ１００は、ドメイン転換制限情報を生成及び処理するための基本的なハードウェア構成を含む。
【００６４】
例えば、図４に示すように、本発明の一実施形態によるＵＥ１００は、ＶＣＣアプリケーション３００からドメイン転換制限情報を受信する受信部４３と、前記受信したドメイン転換制限情報に対する応答としてＡｃｋメッセージを送信する送信部４１と、前記受信したドメイン転換制限情報、及びオペレータポリシー、ユーザの嗜好などの他の情報を保存するメモリ又は保存ユニット４２と、前記ドメイン転換制限情報を分析し、進行中の呼のドメイン転換を開始できるか否か又は開始すべきか否かを決定した後、その決定に応じてドメイン転換を試みるＶＣＣイネイブラー（制御部)４６とを含む。ここで、前記ＶＣＣイネイブラーは、ドメイン転換を開始するか否かを決定するために前記ドメイン転換制限情報を分析する一種の制御ユニットであり、制御部であり得る。また、ＵＥ１００は、Ｕｔインタフェースユニット４７、ＤＭユニット４８、入力ユニット４４、ディスプレイユニット４５などの他の構成要素を含むこともできる。ＵＥ１００の構成要素は動作可能に結合される。
【００６５】
以上、本発明の技術的特徴を含むＵＥの各構成要素の動作及び機能を説明した。また、ＶＣＣサービスを受信するためのＵＥの基本的な他の構成要素は、当業者に明らかであるのでその説明を省略する。
【００６６】
本発明の一実施形態によるＶＣＣアプリケーション３００は、ネットワーク状態又はネットワークメンテナンスのためのドメイン転換に関するオペレータポリシーの変更に対する応答として、ドメイン転換制限情報を含むメッセージを生成するメッセージ生成部と、前記生成したメッセージを前記ＵＥに送信する送信部と、前記ドメイン転換制限情報を含むメッセージに対する応答として前記ＵＥから送信されたＡｃｋメッセージを受信する受信部とを含む。ここで、前記メッセージ生成部は、ドメイン転換を制限するために前記メッセージを生成するので、一種の制御部であり得る。
【００６７】
本発明は図面に示す実施形態を参照して説明されたが、これは単なる例示にすぎず、本発明の思想又は範囲内でこれらの多様な変更及び変形が可能であることを当業者であれば理解できるであろう。従って、本発明は添付された請求の範囲及びその均等物の範囲内の変更及び変形を含むものである。
【００６８】
前述したように、本発明は、ＵＥがドメイン転換のためのネットワーク状態をドメイン転換制限情報に基づいて認識できるようにするのに効果的である。すなわち、呼のドメイン転換がオペレータポリシーの変更又はいくつかの他の理由／原因により制限される場合、ＶＣＣにおけるネットワーク（すなわち、ＶＣＣアプリケーション）は、前記ドメイン転換制限情報をＶＣＣ  ＵＥに送信することにより、前記ＵＥが前記ネットワーク状態及び／又は前記ドメイン転換制限情報を認識できるようにする。
【００６９】
また、本発明においては、前記ＵＥ（すなわち、端末）の観点で、前記ＵＥが（前記ドメイン転換制限情報に基づいて）現在のネットワーク状態を考慮してドメイン転換の開始を試みることができるので、ＶＣＣ  ＵＥによるドメイン転換の不要な試み又は開始を防止するのに効果的である。
【００７０】
さらに、本発明は、不要に開始されるドメイン転換によるシグナリング及び無線リソースの消費を防止でき、不要なシグナリングによるＵＥのバッテリ及びＣＰＵパワーの消費を防止できる。
【図面の簡単な説明】
【００７１】
【図１】図１は、ＶＣＣサービスを提供するネットワークの一般的な構造を示す図である。
【図２】図２は、従来のＩＭＳドメインとＣＳドメイン間でのドメイン転換が行われる場合におけるネットワークの特定構成要素間の信号フローを示す図である。
【図３】図３は、本発明の一実施形態によるＵＥとＶＣＣアプリケーション間のドメイン転換を制限するためのドメイン転換制限情報の伝送方法を示す信号フロー図である。
【図４】図４は、本発明の一実施形態による端末又はＵＥのブロック図である。
【図１】
2009525667.tif 000003
【図２】
2009525667.tif 000004
【図３】
2009525667.tif 000005
【図４】
2009525667.tif 000006
【国際調査報告】
2009525667.tif 000007
2009525667.tif 000008